(57)【要約】【課題】建物に水平力が加わった場合の水平抵抗力を大きくできる建物を提供する。【解決手段】本発明の建物１は、四角形の板状に形成された補強材３が上下に隣り合う上梁４と下梁５との間に挟まれるように設置されて、補強材３の四角形の一側縁部と下梁とが連結され、補強材の四角形の一側縁部と平行に向かい合う他側縁部と上梁とが連結されたことを特徴とする。また、補強材３の一側縁部及び他側縁部の角部のみが取付具２１によって上梁４及び下梁５に取り付けられたことを特徴とする。【選択図】図１
2009041255.tif 000002
【特許請求の範囲】
【請求項１】
四角形の板状に形成された補強材が上下に隣り合う上梁と下梁との間に挟まれるように設置されて、補強材の四角形の一側縁部と下梁とが連結され、補強材の四角形の一側縁部と平行に向かい合う他側縁部と上梁とが連結されたことを特徴とする建物。
【請求項２】
補強材の一側縁部及び他側縁部の角部のみが取付具によって上梁及び下梁に取り付けられたことを特徴とする請求項１に記載の建物。
【請求項３】
取付具が、補強材の取付部、補強材の水平ずれ規制部、補強材の前後ずれ規制部を備えたことを特徴とする請求項２に記載の建物。
【請求項４】
補強材の一側縁端面に形成された一側凹凸面と、下梁の上面に形成された下梁凹凸面と、補強材の他側縁端面に形成された他側凹凸面と、上梁の下面に形成された上梁凹凸面とを備え、一側凹凸面と下梁凹凸面とが固化材によって連結され、他側凹凸面と上梁凹凸面とが固化材によって連結されたことを特徴とする請求項１に記載の建物。
【請求項５】
補強材が上梁と下梁との間に形成された壁に取り付けられたことを特徴とする請求項１乃至請求項４のいずれかに記載の建物。
【請求項６】
補強材の近傍に位置する上梁と下梁とが連結材により連結されたことを特徴とする請求項１乃至請求項５のいずれかに記載の建物。
【請求項７】
連結材が、上梁の上面と下面とに跨って貫通する上貫通孔と下梁の上面と下面とに跨って貫通する下貫通孔とに貫通して補強材の一側縁端面及び他側縁端面と直交する側端面と対向するように設置されて上梁及び下梁に固定される棒材により形成されたことを特徴とする請求項６に記載の建物。
【請求項８】
連結材が、上梁の下面と直交する方向に延長するように取り付けられた上アンカーと、下梁の上面と直交する方向に延長するように取り付けられた下アンカーと、補強材の一側縁端面及び他側縁端面と直交する側端面と対向するように設置されて上アンカーの下端部と下アンカーの上端部とを繋ぐ棒材とにより形成されたことを特徴とする請求項６に記載の建物。
【請求項９】
連結材が、補強材の前面の前側において補強材の四角形の前面の対角線上で交差するように設けられて上梁と下梁とに連結された棒材により形成されたことを特徴とする請求項６に記載の建物。
【請求項１０】
補強材の裏面が一側縁端面と他側縁端面とに連続して跨るように設けられた凹部を備え、連結材が、凹部内を上下に延長して上梁と下梁とに取り付けられた棒材により形成されたことを特徴とする請求項６に記載の建物。
【請求項１１】
補強材が梁の両側に位置して互いに隣り合う柱と柱との間の中央部に設置されたことを特徴とする請求項１乃至請求項１０のいずれかに記載の建物。
【発明の詳細な説明】
【技術分野】
【０００１】
本発明は、補強材を梁に取り付けた簡単な構造により建物の水平抵抗力を大きくできた建物に関する。
【背景技術】
【０００２】
枠状に形成された補強材が上下に隣り合う上梁と下梁との間に挟まれるように設置されて補強材が取付具によって上梁と下梁とに取り付けられた建物が知られている。
【特許文献１】特開平１０−２９２６６７号公報
【発明の開示】
【発明が解決しようとする課題】
【０００３】
従来の建物は、四角形の枠状に形成された補強材を用いているので、建物に水平力が加わった場合に、補強材の四角形の対角線上に作用する圧縮力に対する補強材の抵抗力が小さく、補強材が破壊してしまい、建物に水平力が加わった場合の抵抗力（水平抵抗力）が小さい。また、補強材の梁が開口部の高さ方向の幅を狭くするとともに、補強材の下部の梁が通行の支障となる。
本発明は、上記従来の問題点に鑑みてなされたもので、建物に水平力が加わった場合の水平抵抗力を大きくできる建物を提供する。
【課題を解決するための手段及び効果】
【０００４】
本発明に係る建物は、四角形の板状に形成された補強材が上下に隣り合う上梁と下梁との間に挟まれるように設置されて、補強材の四角形の一側縁部と下梁とが連結され、補強材の四角形の一側縁部と平行に向かい合う他側縁部と上梁とが連結されたので、補強材が長方形の対角線に沿った方向に圧縮力を受けた場合に、この対角線と直交する方向に沿って生じる引張応力に抵抗する力を大きくでき、従って、補強材の長方形の対角線に沿った方向の圧縮力が大きくなり、建物の水平抵抗力を大きくできる。従って、補強材を梁に取り付けた簡単な構造により建物の水平抵抗力を大きくできる。
補強材の一側縁部及び他側縁部の角部のみが取付具によって上梁及び下梁に取り付けられたので、取付具の取付作業を少なくでき、容易に施工できる。
取付具が、補強材の取付部、補強材の水平ずれ規制部、補強材の前後ずれ規制部を備えたので、補強材の水平方向のずれ及び前後方向のずれを防止でき、これによって、建物の水平抵抗力を大きくできる。
補強材の一側縁端面に形成された一側凹凸面と、下梁の上面に形成された下梁凹凸面と、補強材の他側縁端面に形成された他側凹凸面と、上梁の下面に形成された上梁凹凸面とを備え、一側凹凸面と下梁凹凸面とが固化材によって連結され、他側凹凸面と上梁凹凸面とが固化材によって連結されたので、凹凸面と固化材との係合によって、補強材の水平ずれ及び前後ずれが防止されるので、これによって、建物の水平抵抗力を大きくできる。
補強材が上梁と下梁との間に形成された壁（方立壁）に取り付けられたので、補強材の前後倒れ防止効果が高まる。
補強材の近傍に位置する上梁と下梁とが連結材により連結されたので、連結材によって、上下の梁の互いに離れるような変形を防止できる。
連結材が、上梁の上面と下面とに跨って貫通する上貫通孔と下梁の上面と下面とに跨って貫通する下貫通孔とに貫通して補強材の一側縁端面及び他側縁端面と直交する側端面と対向するように設置されて上梁及び下梁に固定される棒材により形成されたので、連結材によって、上下の梁の互いに離れるような変形を防止できる。
連結材が、上梁の下面と直交する方向に延長するように取り付けられた上アンカーと、下梁の上面と直交する方向に延長するように取り付けられた下アンカーと、補強材の一側縁端面及び他側縁端面と直交する側端面と対向するように設置されて上アンカーの下端部と下アンカーの上端部とを繋ぐ棒材とにより形成されたので、連結材によって、上下の梁の互いに離れるような変形を防止できる。
連結材が、補強材の前面の前側において補強材の四角形の前面の対角線上で交差するように設けられて上梁と下梁とに連結された棒材により形成されたので、連結材によって、上下の梁の互いに離れるような変形を防止できるとともに、連結材に発生する引張力の水平成分が水平変形に対する抵抗力として作用し、補強材のみの場合と比べて補強効果が大きくなるという効果が得られる。
補強材の裏面が一側縁端面と他側縁端面とに連続して跨るように設けられた凹部を備え、連結材が、凹部内を上下に延長して上梁と下梁とに取り付けられた棒材により形成されたので、連結材によって、上下の梁の互いに離れるような変形を防止できる。
補強材が梁の両側に位置して互いに隣り合う柱と柱との間の中央部に設置されたので、補強材の対角線に沿った方向の圧縮力が大きくなり、建物の水平抵抗力を大きくできる。
【発明を実施するための最良の形態】
【０００５】
最良の形態１
図１乃至図５は最良の形態１を示す。図１は上梁と下梁との間に補強材が挟まれるように設置された建物を正面から見て示し、図２は取付具を示し、図３は水平抵抗力を説明し、図４は補強材の設置場所による水平抵抗力の違いを説明し、図５は補強材に加わる引張応力を説明した図である。尚、図１の左右方向を水平方向、図１の紙面と直交する方向を前後方向として説明する。
【０００６】
図１を参照し、既存建物に補強材が取り付けられた建物を説明する。建物１は、長方形（四角形）の板材により形成された補強材３が既存建物２の上下に隣り合う上梁４と下梁５との間に挟まれるように設置される。補強材３は、互いに隣り合う柱６と柱７との間の中央部分に設置される。例えば、柱と柱との間隔をＬとした場合、補強材３の中心線ａが柱６や柱７からＬ／４〜３Ｌ／４の範囲に位置されるように設置される。
【０００７】
補強材３は、図１に示された長方形の面である前面１０と、前面１０の後に位置して前面と平行に位置する前面と同一の後面１１と、前面１０の上端縁と後面１１の上端縁とを繋ぐ上面１２（他側縁端面）と、前面１０の下端縁と後面１１の下端縁とを繋ぐ下面１３（一側縁端面）と、前面１０の左端縁と後面１１の左端縁とを繋ぐ左側面１４ａ（側端面）と、前面１０の右端縁と後面１１の右端縁とを繋ぐ右側面１４ｂ（側端面）とを有した板厚ｔの長方形の板材により形成される。補強材３は、例えば、繊維を混入したコンクリート（繊維強化コンクリートと呼ばれる）により形成される。即ち、補強材３は、予め工場や現場などで別途製作されたものであり、所定の厚さｔを有した長方形の面板形状である。
【０００８】
補強材３は、下面１３が下梁５の上面１５と向かい合うように上面１２が上梁４の下面１６と向かい合うように上梁４と下梁５との間に設置される。そして、補強材３の上部（他側縁部）における左右両側の角部１７；１８がそれぞれ取付具２１によって上梁４の下面１６に取り付けられ、補強材３の下部（一側縁部）における左右両側の角部１９；２０がそれぞれ取付具２１によって下梁５の上面１５に取り付けられる。
【０００９】
即ち、長方形の板状に形成された補強材３の角部、即ち、補強材３の上部及び下部の角部１７；１８；１９；２０のみがそれぞれ取付具２１によって上梁４及び下梁５に取り付けられたことによって、補強材３の上部と上梁４の下面１６とが連結され、補強材３の上部と平行に向かい合う下部と下梁５の上面１５とが連結された構成である。
【００１０】
補強材３の大きさは、例えば、前面１０及び後面１１の横幅が５０ｃｍ以上２５０ｃｍ以下程度、前面１０及び後面１１の縦幅が２００ｃｍ程度、厚さｔが５ｃｍ以上２０ｃｍ以下程度に形成される。尚、補強材３の前面１０及び後面１１の縦幅寸法Ｔは、既存建物２の上下に隣り合う上梁４と下梁５との間の最短距離寸法Ｈよりも小さい。
【００１１】
取付具２１は、取付部２２、水平ずれ規制部２３、前後ずれ規制部２４、支持部２５、補強リブ２６を備える。取付部２２は、上梁４の下面１６や下梁５の上面１５にアンカー３０などで取り付けられる板材により形成される。取付部２２は、アンカー３０を貫通させるためのアンカー通し孔３１を備える。水平ずれ規制部２３は、上梁４と下梁５との間に挟まれるように設置される補強材３の角部の左側面や右側面と向かい合うように位置されて補強材３の水平方向のずれを防止する。前後ずれ規制部２４は、上梁４と下梁５との間に挟まれるように設置される補強材３の角部の前面１０及び後面１１と向かい合うように位置されて補強材３の前後方向のずれを防止する。支持部２５は、上梁４と下梁５との間に挟まれるように設置される補強材３の角部の上面１２や下面１３と向かい合うように位置されて上面１２や下面１３を支持する。
【００１２】
取付部２２と支持部２５とが矩形ベース板２８により形成される。矩形ベース板２８の一方の面２９の中心線に沿って、矩形ベース板２８の一方の面２９と直交する方向に延長するよう設けられた板により水平ずれ規制部２３が設けられる。この水平ずれ規制部２３で区切られた矩形ベース板２８の一方の板部分により取付部２２が形成され、水平ずれ規制部２３で区切られた矩形ベース板２８の他方の板部分により支持部２５が形成される。前後ずれ規制部２４は、水平ずれ規制部２３の一端部と支持部２５の一端部とを繋ぐ一端側前後ずれ防止板２４ａと、水平ずれ防止板２３の他端部と支持板の他端部とを繋ぐ他端側前後ずれ防止板２４ｂとにより形成される。一端側前後ずれ防止板２４ａと他端側前後ずれ防止板２４ｂと間の最短距離は、補強材３の厚さｔの寸法よりも大きい。補強リブ２６は、取付部２２の中央部と水平ずれ規制部２３の中央部とを繋ぐ板により形成される。
【００１３】
補強材３の取付方法を説明する。まず、補強材３を設置するために、下梁５の上面１５及び上梁４の下面１６に取付具２１を取付けるためのアンカー３０の取付位置を決め、上梁４の下面１６と下梁５の上面１５とにアンカー３０を固定するためのアンカー固定孔３１を形成する。アンカー３０としては、例えば、一端部に袋を備えて袋内に樹脂接着剤が封入された樹脂系アンカーや金属系アンカーを用いる。樹脂系アンカーは、アンカー固定孔３１に入れられて打撃が加えられと、アンカー固定孔３１の孔底とアンカーの一端部との圧力で袋が破れて孔内に充填される樹脂接着剤によりアンカー固定孔３１に固定されるアンカーである。金属系アンカーは、アンカー固定孔３１に入れられて打撃が加えられると、一端部の金属がアンカー固定孔３１に係合されることによってアンカー固定孔３１に固定されるアンカーである。アンカー３０をアンカー固定孔３１に固定し、取付具２１のアンカー通し孔３１にアンカー３０を通してアンカー３０にナット３２を締結することで、取付具２１を上梁４の下面１６及び下梁５の上面１５に取り付ける。この場合、まず、上梁４と下梁５とに補強材３の左側面１４ａの上下の角部１８；２０あるいは右側面１４ｂの上下の角部１７；１９を取り付けるための上下一対の取付具２１；２１を取り付ける。補強材３の一方の側面の上下の角部を取付具２１；２１の一端側前後ずれ防止板２４ａと他端側前後ずれ防止板２４ｂとの間に設置する。そして、補強材３の他方の側面の上下の角部にそれぞれ取付具２１；２１を設置した後に、当該取付具２１；２１を上梁４の下面１６と下梁５の上面１５とに取り付ける。
【００１４】
図３を参照し、補強材３の作用を説明する。剛性無限大の仮想の補強材３を想定する。補強材３の上下変位に対する拘束がない場合において、補強材３の上部に水平力Ｆ１が加わると、補強材３が図３（ａ）のように、自由に剛体回転し、水平力に抵抗できない。一方、最良の形態１のように、補強材３の上下変位が上梁４と下梁５とで拘束されている場合において、補強材３の上部に水平力Ｆ１が加わると、補強材３が回転しようとしたときに、図３（ｂ）のように、補強材３の長方形の対角線上の両方の角部１８：１９に上下方向の圧縮力Ｆ２；Ｆ２が加わり、圧縮力Ｆ２と水平力Ｆ１との合力である対角線に沿った方向の圧縮力Ｆ３が補強材３に加わる。図３（ｃ）に示すように、対角線に沿った方向の圧縮力Ｆ３の水平分力が水平抵抗力Ｆ４となる。よって、最良の形態１によれば、補強材３が上梁４と下梁５との間に挟まれて補強材３の上下変位が拘束されるように補強材３が設けられたことによって、より大きな水平力に抵抗できるようになる。つまり、建物１に水平力が加わった場合の抵抗力（水平抵抗力）を大きくでき、上梁４及び下梁５の相対水平変形を小さくできる。
【００１５】
尚、図５（ａ）に示すように、上梁４と下梁５との間に挟まれるように取り付けられた補強材３が、補強材３の対角線に沿った方向に圧縮力Ｆ３を受けると、補強材３にはその対角線に沿った方向と直交する方向に引張応力Ｆ５が発生する。これにより、図５（ｂ）のように、補強材３の対角線に沿ったひび割れ１００が発生する可能性がある。そこで、この引張応力Ｆ５に対して抵抗できるように、補強材３として、繊維補強コンクリート、鉄筋コンクリート、鉄板などで形成された補強材３を用いる。例えば、鉄筋を縦横に並べて形成された格子部材を内蔵した鉄筋コンクリート製の補強材３や、格子戸状に形成された鉄板製の補強材３や、図１１に示すようなリブ付きの補強材３を用いる。
【００１６】
最良の形態１によれば、上梁４と下梁５との間に挟まれるように設置されて上梁４と下梁５とに取り付けられる補強材３として、長方形の板状に形成された補強材３を用いたので、補強材３が長方形の対角線に沿った方向に圧縮力Ｆ３を受けた場合に、この対角線と直交する方向に沿って生じる引張応力に抵抗する力を大きくでき、従って、補強材３の長方形の対角線に沿った方向の圧縮力Ｆ３が大きくなり、その圧縮力の水平分力が水平抵抗力Ｆ４となるために、建物１の水平抵抗力Ｆ４を大きくできる。従って、予め形成された補強材３を上梁４と下梁５とに取り付けた簡単な構造により建物１の水平抵抗力を大きくできる。
【００１７】
最良の形態１によれば、補強材３の長方形の角部のみが取付具２１によって上梁２及び下梁５に取り付けられた構成としたことで、取付具２１の取付作業を少なくでき、容易に施工できる。また、工場、現場などで別途製作された所定の厚さｔを有した長方形面板状の補強材３を梁４；５に取り付けた簡単な構造により建物１の水平抵抗力を大きくできる。
【００１８】
最良の形態１によれば、取付具２１が、水平ずれ規制部２３、前後ずれ規制部２４を備え、補強材３の水平方向のずれ及び前後方向のずれを防止できるので、補強材３の長方形の対角線に沿った方向の圧縮力Ｆ３が大きくなり、建物１の水平抵抗力Ｆ４が増す。
【００１９】
図４に示すように、柱６；７と上梁４と下梁５とで形成されるフレーム６０に水平力が加わった場合において、柱６；７に対して上梁４及び下梁５の強度が弱い場合には、フレーム６０は、図４（ａ）に示すように変形する。この場合、図４（ｂ）のように、フレーム６０の柱６や柱７の近くに補強材３を取り付けたとしても、補強材３は梁の変形に追従して回転するだけで、水平力に抵抗しない。しかしながら、最良の形態１のように、補強材３が、互いに隣り合う柱６と柱７との間の中央部に設置された場合には、図４（ｃ）に示すように、梁４；５の変形方向と補強材３の回転方向とが逆になるため、補強材３の対角線に沿った方向の圧縮力Ｆ２が大きくなり、建物１の水平抵抗力Ｆ４が増す。
【００２０】
最良の形態２
取付具２１を用いずに、補強材３の下面１３と下梁５の上面１５とを無収縮性のモルタルのような固化材３５で連結するとともに、補強材３の上面１２と上梁４の下面１６とを固化材３５で連結してもよい。この場合、図６に示すように、補強材３の下面１３（一側縁端面）及び下梁５の上面１５に凹凸を形成し、補強材３の下面１３の凹凸面３６と下梁５の上面１５の凹凸面３７との間に固化材３５を充填して補強材３と下梁５とを固化材３５で結合するとともに、補強材３の上面１２（他側縁端面）及び上梁４の下面１６に凹凸を形成し、補強材３の上面１２の凹凸面３８と上梁４の下面１６の凹凸面３９との間に固化材３５を充填して補強材３と上梁４とを固化材３５で結合することによって、補強材３が上下に隣り合う上梁４と下梁５との間に挟まれるように設置されて上梁４と下梁５とに取り付けられた構成とした。
最良の形態２によれば、凹凸面と固化材との係合によって、補強材３の水平ずれ及び前後ずれが防止されるので、建物１の水平抵抗力が増す。
【００２１】
最良の形態３
補強材３が上梁４と下梁５との間に挟まれるように取り付けられた構造において、図７に示すように、方立壁（束壁）４０がある場合には、補強材３及び方立壁４０に取付孔４１を形成し、補強材３と方立壁４０とをボルトナットのような連結具４２で互いに連結したことにより、補強材３の前後倒れ防止効果が高まる。
【００２２】
最良の形態４
補強材３が上梁４と下梁５との間に挟まれるように取り付けられた構造において、図８に示すように、上梁４と下梁５とが連結材５０により連結された構成とした。連結材５０は、上梁４を上下に貫通する貫通孔５１と、下梁５を上下に貫通する貫通孔５２と、これら貫通孔５２；５２を上下に貫通するように設けられた棒材５３と、棒材５３の両端部に形成されたねじ部５４と貫通孔より上下に突出する棒材のねじ部５４に締結されたナット５５とで形成された固定具５６とを備えた連結材５０である。棒材５３は、補強材３の左側面１４ａ；右側面１４ｂの近傍にこれら左側面１４ａ；右側面１４ｂに沿って延長してこれら左側面１４ａ；右側面１４ｂと対向するように設けられる。図８（ｃ）は、補強材３が方立壁４０に取り付けられた状態の断面を示す。
【００２３】
最良の形態４によれば、連結材５０により上下の梁４；５の互いに離れるような変形を防止できる。地震によって上梁４と下梁５とに相対的な水平変位が発生し、この力が補強材３に伝わって補強材３が回転した際に補強材３と上梁４や下梁５との間の隙間が大きくなる可能性がある。多層階に連続して補強材３を設置する場合には下階の補強材３が上階の補強材３から押されるので上記隙間は大きくなりにくいが、上層階では上階からの拘束が小さいので、隙間が大きくなる可能性がある。最良の形態４によれば、連結材５０が上梁４と下梁５との開きを防止するので、上記隙間が大きくなるのを防止できる。
【００２４】
最良の形態５
補強材３が上梁４と下梁５との間に挟まれるように取り付けられた構造において、図９に示すように、上梁４と下梁５とが連結材５０により連結された構成とした。連結材５０は、上梁４の下面１６に垂直方向に延長するように取り付けられた上アンカー６１と、下梁５の上面１５に垂直方向に延長するように取り付けられた下アンカー６２と、棒材６３と、上アンカー６１の下端部と棒材６３の上端部とを繋ぐ継手６４と、下アンカー６２の上端部と棒材６３の下端部とを繋ぐ継手６５とにより形成された連結材５０を用いた。上下のアンカー６１；６２及び棒材６３は、補強材３の左端面１４ａ；右側面１４ｂの近傍にこれら左側面１４ａ；右側面１４に沿って延長してこれら左側面１４ａ；右側面１４ｂと対向するように設けられる。最良の形態５によれば最良の形態４と同じ効果が得られる。
【００２５】
最良の形態６
補強材３が上梁４と下梁５との間に挟まれるように取り付けられた構造において、図１０に示すように、上梁４と下梁５とが連結材５０により連結された構成とした。連結材５０は、上梁４と下梁５との間に挟まれるように取り付けられた補強材３の前面１０の前側において補強材３の対角線上に位置するように上梁４の下面１６から下方に延長して取り付けられた上アンカー６１と、補強材３の前面１０の前側において補強材３の対角線上に位置するように下梁５の下面１５から上方に延長して取り付けられた下アンカー６２と、棒材７３と、上アンカー６１の下端部と棒材７３の上端部とを繋ぐ継手７４と、下アンカー６２の上端部と棒材６３の下端部とを繋ぐ継手７５とにより形成された連結材５０を用いた。即ち、上梁４と下梁５との間に挟まれるように取り付けられた補強材３の前面１０の前側において連結材５０同士が×印状に交差するブレス状に設けられた構成とした。尚、棒材７３と梁４；５とが、図８に示す固定具５６で取り付けられた構成としてもよい。即ち、連結材５０が、補強材３の前面１の前側において補強材３の長方形の前面１０の対角線上で交差するように設けられて上梁４と下梁５とに連結された棒材により形成されたものであればよい。
【００２６】
最良の形態６によれば、最良の形態４と同じ効果が得られる。また、最良の形態６によれば、連結材５０がブレス状に設けられたので、連結材５０に発生する引張力の水平成分が水平変形に対する抵抗力として作用し、補強材３のみの場合と比べて補強効果が大きくなるという効果も得られる。
【００２７】
最良の形態７
補強材３が裏面１１に上面１２と下面１３とに連続して跨るように設けられた凹部８０を備え、この凹部８０を備えた補強材３が、上梁４と下梁５との間に挟まれるように取り付けられた構造において、図１１に示すように、上梁４と下梁５とが連結材５０により連結された構成とした。連結材５０は、上梁４の下面１６に垂直方向に延長するように取り付けられた上アンカー８１と、下梁５の上面１５に垂直方向に延長するように取り付けられた下アンカー８２と、棒材８３と、上アンカー８１の下端部と棒材８３の上端部とを繋ぐ継手８４と、下アンカー８２の上端部と棒材８３の下端部とを繋ぐ継手８５とにより形成された連結材５０を用いた。連結材５０は、凹部８０の左右の側壁８６；８７に沿って凹部８０内で上下に延長するように設けられる。棒材８３と梁４；５とが、図８に示す固定具５６で取り付けられた構成としてもよい。最良の形態７によれば、最良の形態４と同じ効果が得られる。また、補強材３の凹部８０の両側に残った部分がリブ８９として作用するので、補強材３の強度を上げることができる。図１１（ｃ）は、補強材３が方立壁４０に取り付けられた状態の断面を示す。
【００２８】
尚、最良の形態３乃至７を示す図７乃至図１１では図示していないが、最良の形態３乃至７では、補強材３と上下の梁４；５とが、最良の形態１で説明した取付具２１による結合によって互いに連結されるか、あるいは、最良の形態２で説明した凹凸面３６；３７；３８；３９と固化材３５とによる結合によって互いに連結される。
【産業上の利用可能性】
【００２９】
固化材３５としては、無収縮モルタルの他に、無収縮セメント、エポキシ接着剤のような樹脂を用いることが可能である。
補強材３が取付具２１により上梁４と下梁５とに取付けられた場合において、補強材３の上面１２と上梁４の下面１６との間に隙間、及び、補強材３の下面１３と下梁５の上面１５との間に隙間に、無収縮モルタルのような固化材を設けることによって、補強材３の上下面と梁４；５とを結合してもよい。
【図面の簡単な説明】
【００３０】
【図１】建物の正面図（最良の形態１）。
【図２】取付具の斜視図（最良の形態１）。
【図３】補強材を用いた水平抵抗力の説明図（最良の形態１）。
【図４】補強材の設置場所と水平抵抗力の説明図（最良の形態１）。
【図５】補強材に加わる引張応力の説明図（最良の形態１）。
【図６】建物の正面図（最良の形態２）。
【図７】（ａ）は建物の正面図、（ｂ）は（ａ）のＡ−Ａ断面図（最良の形態３）。
【図８】（ａ）は建物の正面図、（ｂ）は（ａ）のＡ−Ａ断面図、（ｃ）は補強材が方立壁に取り付けられた状態を示す断面図を示す（最良の形態４）。
【図９】建物の正面図（最良の形態５）。
【図１０】建物の正面図（最良の形態６）。
【図１１】（ａ）は建物の正面図、（ｂ）は（ａ）のＡ−Ａ断面図、（ｃ）は補強材が方立壁に取り付けられた状態を示す断面図を示す（最良の形態７）。
【符号の説明】
【００３１】
１  建物、２  既存建物、３  補強材、４  上梁、５  下梁、６；７  柱、
１０  前面、１１  後面、１２  上面（他側縁端面）、１３  下面（一側縁端面）、１４ａ  左側面、１４ｂ  右側面、２１  取付具、２２  取付部、
２３  水平ずれ規制部、２４  前後ずれ規制部、３５  固化材、
３６；３７；３８；３９  凹凸面、４０  方立壁（壁）、５０  連結材、
６１  上アンカー、６２  下アンカー、６３；７３；８１  棒材、８０  凹部。
【図１】
2009041255.tif 000003
【図２】
2009041255.tif 000004
【図３】
2009041255.tif 000005
【図４】
2009041255.tif 000006
【図５】
2009041255.tif 000007
【図６】
2009041255.tif 000008
【図７】
2009041255.tif 000009
【図８】
2009041255.tif 000010
【図９】
2009041255.tif 000011
【図１０】
2009041255.tif 000012
【図１１】
2009041255.tif 000013